(57)【要約】【課題】画像読取装置の装置本体内部において発熱する構成部を冷却する構成を、構成簡単且つ省スペースに配置して、装置の低コスト化と小型化を図る。【解決手段】スキャナー１は、搬送ローラー対１６を駆動する第２モーター２２と、互いに噛み合う複数の歯車により第２モーター２２からの動力を少なくとも搬送ローラー対１６に伝達する第２動力伝達機構部４０と、を備え、第２動力伝達機構部４０は、回転することにより風を発生させる羽根形状を有する羽根付き歯車としての第９伝達ギア４５及び第１１伝達ギア４８を備える。【選択図】図７
2019012878.tif 000002
【特許請求の範囲】
【請求項１】
媒体の画像を読み取る読取部と、
前記媒体の読み取りに係る動作を行う駆動部と、
前記駆動部を駆動する駆動モーターと、
互いに噛み合う複数の歯車により前記駆動モーターからの動力を前記駆動部に伝達する動力伝達機構部と、を備え、
前記動力伝達機構部は、複数の前記歯車の少なくとも一つとして、回転することにより風を発生させる羽根形状を有する羽根付き歯車を備える、
ことを特徴とする画像読取装置。
【請求項２】
請求項１に記載の画像読取装置において、
前記駆動部としての、
媒体載置部に載置された前記媒体を送る給送ローラーと、
前記給送ローラーの下流側に設けられる搬送ローラーと、
前記動力伝達機構部としての、
前記駆動モーターからの動力を前記給送ローラーに伝達するための歯車を含む第１動力伝達機構部と、
前記駆動モーターからの動力を前記搬送ローラーに伝達するための歯車を含む第２動力伝達機構部と、を備え、
前記羽根付き歯車は、少なくとも前記第２動力伝達機構部に設けられている、
ことを特徴とする画像読取装置。
【請求項３】
請求項２に記載の画像読取装置において、
前記給送ローラーと前記搬送ローラーのそれぞれの回転軸を支持する一対のサイドフレームを備え、
前記駆動モーターは、一対の前記サイドフレームの内側に設けられ、
前記第１動力伝達機構部及び前記第２動力伝達機構部は、一対の前記サイドフレームのいずれかの外側に取り付けられており、
前記羽根付き歯車を有する動力伝達機構部が設けられた前記サイドフレームは、前記羽根付き歯車に対応する位置に通風口を備える、
ことを特徴とする画像読取装置。
【請求項４】
請求項１から請求項３のいずれか一項に記載の画像読取装置において、
前記羽根付き歯車の前記羽根形状は、前記読取部による前記媒体の読み取り時に、装置本体外側から内側に向けて風を送る形状を有する、
ことを特徴とする画像読取装置。
【請求項５】
請求項１から請求項３のいずれか一項に記載の画像読取装置において、
前記羽根付き歯車の前記羽根形状は、前記読取部による前記媒体の読み取り時に、装置本体内側から外側に向けて風を送る形状を有する、
ことを特徴とする画像読取装置。
【請求項６】
請求項１から請求項５のいずれか一項に記載の画像読取装置において、
前記羽根付き歯車は、少なくとも前記駆動モーターとの間で気流を作る方向に向けて配置される、
ことを特徴とする画像読取装置。
【請求項７】
請求項１から請求項５のいずれか一項に記載の画像読取装置において、
両端が開口した管形状を有する導風管を備え、
前記導風管は、一方の開口である第１開口部が前記羽根付き歯車に向けられ、他方の開口である第２開口部が装置本体内部において発熱を生じる領域に向けられる、
ことを特徴とする画像読取装置。
【請求項８】
請求項１から請求項７のいずれか一項に記載の画像読取装置において、
装置本体を覆って装置外観を構成する筐体は、前記装置本体に設けられる前記羽根付き歯車に対応する位置に、外側通風口を備える、
ことを特徴とする画像読取装置。
【請求項９】
請求項１から請求項８のいずれか一項に記載の画像読取装置において、
装置本体内部の温度を検出する温度検出部を備え、
前記温度検出部における検出温度に応じて、前記読取部による前記媒体の読み取り速度を変更可能に構成される、
ことを特徴とする画像読取装置。
【請求項１０】
請求項１から請求項９のいずれか一項に記載の画像読取装置において、
前記羽根付き歯車は、前記読取部による前記媒体の読み取り時における回転方向とは逆方向に回転可能に構成されている、
ことを特徴とする画像読取装置。
【請求項１１】
請求項１から請求項１０のいずれか一項に記載の画像読取装置において、
前記羽根付き歯車は、前記動力伝達機構部を構成する複数の歯車としての第１歯車と第２歯車とのうち、前記第２歯車よりも歯車比が小さい前記第１歯車に設けられている、
ことを特徴とする画像読取装置。
【発明の詳細な説明】
【技術分野】
【０００１】
本発明は、原稿を搬送して画像を読み取る画像読取装置に関する。
【背景技術】
【０００２】
スキャナーに代表される画像読取装置において、その使用時にモーターや基板等において発生する熱を冷ますための冷却部が装置本体内部に設けられているものがある（例えば、特許文献１、特許文献２）。  
特許文献１においては、熱源（トナー定着後の熱を持った用紙が搬送される搬送経路５）を冷却する冷却部として、ファン７を備えるエアルーム６が設けられている。  
また特許文献２には、原稿読取装置内の電源ユニットに対向して配置された冷却ファンを備えた構成が開示されている。
【先行技術文献】
【特許文献】
【０００３】
【特許文献１】特開２００９−２７６４１２号公報
【特許文献２】特開２００７−８９０３６号公報
【発明の概要】
【発明が解決しようとする課題】
【０００４】
ここで、冷却用のファンの設置はコストアップの要因となる。また近年、画像読取装置においては一層の小型化が求められているが、熱源に対してファンを単体で設ける特許文献１および特許文献２の構成では、コストがかかるとともに装置の小型化に限界がある。
【０００５】
そこで本発明の目的は、画像読取装置の装置本体内部において発熱する構成部を冷却する構成を、構成簡単且つ省スペースに配置して、装置の低コスト化と小型化を図ることにある。
【課題を解決するための手段】
【０００６】
上記課題を解決する為の、本発明の第１の態様に係る画像読取装置は、媒体の画像を読み取る読取部と、前記媒体の読み取りに係る動作を行う駆動部と、前記駆動部を駆動する駆動モーターと、互いに噛み合う複数の歯車により前記駆動モーターからの動力を前記駆動部に伝達する動力伝達機構部と、を備え、前記動力伝達機構部は、複数の前記歯車の少なくとも一つとして、回転することにより風を発生させる羽根形状を有する羽根付き歯車を備える、ことを特徴とする。
【０００７】
画像読取装置おける「媒体の読み取りに係る動作を行う駆動部」の例としては、媒体載置部にセットされた媒体を読取部に向けて給送する給送部、給送後の媒体を搬送する搬送部、前記読取部における読み取り後の媒体を排出する排出部等が挙げられる。  
本態様によれば、装置内に風を発生させる構成を、冷却用ファンを使用せず対応できるので、構成簡単且つ省スペースに配置することができ、装置の小型化を達成し易くなる。また、部品点数を減らし、コスト削減を図ることができる。
【０００８】
本発明の第２の態様は、第１の態様において、前記駆動部としての、媒体載置部に載置された前記媒体を送る給送ローラーと、前記給送ローラーの下流側に設けられる搬送ローラーと、前記動力伝達機構部としての、前記駆動モーターからの動力を前記給送ローラーに伝達するための歯車を含む第１動力伝達機構部と、前記駆動モーターからの動力を前記搬送ローラーに伝達するための歯車を含む第２動力伝達機構部と、を備え、前記羽根付き歯車は、少なくとも前記第２動力伝達機構部に設けられている、ことを特徴とする。
【０００９】
媒体の読み取りを行う際、前記駆動部としての前記給送ローラーは、通常、前記媒体載置部から前記媒体を送り出した後に停止して間欠的に動作する。一方、前記給送ローラーの下流側に設けられる搬送ローラーは、前記媒体の読み取りを実行する間、連続的に動作する。  
本態様によれば、前記羽根付き歯車は、前記駆動モーターからの動力を前記搬送ローラーに伝達するための歯車を含む第２動力伝達機構部に少なくとも設けられているので、前記媒体の読み取りを実行する間、前記羽根付き歯車がほぼ連続的に回転して、装置内に風を発生させる構成とすることができる。
【００１０】
本発明の第３の態様は、第２の態様において、前記給送ローラーと前記搬送ローラーのそれぞれの回転軸を支持する一対のサイドフレームを備え、前記駆動モーターは、一対の前記サイドフレームの内側に設けられ、前記第１動力伝達機構部及び前記第２動力伝達機構部は、一対の前記サイドフレームのいずれかの外側に取り付けられており、前記羽根付き歯車を有する動力伝達機構部が設けられた前記サイドフレームは、前記羽根付き歯車に対応する位置に通風口を備える、ことを特徴とする。
【００１１】
本態様によれば、前記羽根付き歯車を有する動力伝達機構部が設けられた前記サイドフレームは、前記羽根付き歯車に対応する位置に通風口を備えるので、一対の前記サイドフレームの内側に風が通り易い構成とすることができる。
【００１２】
本発明の第４の態様は、第１の態様から第３の態様のいずれか一つにおいて、前記羽根付き歯車の前記羽根形状は、前記読取部による前記媒体の読み取り時に、装置本体外側から内側に向けて風を送る形状を有する、ことを特徴とする。
【００１３】
本態様によれば、前記読取部による前記媒体の読み取り時に、前記羽根付き歯車の回転により、装置本体外側から内側に空気を取り入れる構成とすることができる。
【００１４】
本発明の第５の態様は、第１の態様から第３の態様のいずれか一つにおいて、前記羽根付き歯車の前記羽根形状は、前記読取部による前記媒体の読み取り時に、装置本体内側から外側に向けて風を送る形状を有する、ことを特徴とする。
【００１５】
本態様によれば、前記読取部による前記媒体の読み取り時に、前記羽根付き歯車の回転により、装置本体内側から外側に空気を排出する構成とすることができる。
【００１６】
本発明の第６の態様は、第１の態様から第５の態様のいずれか一つにおいて、前記羽根付き歯車は、少なくとも前記駆動モーターとの間で気流を作る方向に向けて配置される、ことを特徴とする。
【００１７】
本態様によれば、前記羽根付き歯車は、少なくとも前記駆動モーターとの間で気流を作る方向に向けて配置されるので、前記駆動モーターの駆動により発生する熱を効果的に逃がすことができる。
【００１８】
本発明の第７の態様は、第１の態様から第５の態様のいずれか一つにおいて、両端が開口した管形状を有する導風管を備え、前記導風管は、一方の開口である第１開口部が前記羽根付き歯車に向けられ、他方の開口である第２開口部が装置本体内部において発熱を生じる領域に向けられる、ことを特徴とする。
【００１９】
本態様によれば、前記羽根付き歯車により、前記導風管を介して、装置本体内部において発熱を生じる区域に向けて風を送る、或いは、前記領域から風を吸引する構成とすることができる。
【００２０】
本発明の第８の態様は、第１の態様から第７の態様のいずれか一つにおいて、装置本体を覆って装置外観を構成する筐体は、前記装置本体に設けられる前記羽根付き歯車に対応する位置に、外側通風口を備える、ことを特徴とする。
【００２１】
本態様によれば、筐体の内外の風の流通を効率よく行い、前記羽根付き歯車による高い冷却効果を得ることができる。
【００２２】
本発明の第９の態様は、第１の態様から第８の態様のいずれか一つにおいて、装置本体内部の温度を検出する温度検出部を備え、前記温度検出部における検出温度に応じて、前記読取部による前記媒体の読み取り速度を変更可能に構成される、ことを特徴とする画像読取装置。
【００２３】
前記読取部による前記媒体の読み取り速度が速いと、前記媒体の給送速度或いは搬送速度が速くなり、給送ローラー或いは搬送ローラーを駆動するための駆動モーターが発熱し易くなる。また、前記読取部による前記媒体の読み取り速度が速く、処理量が多くなると、画像読取装置を動作させるための電子基板の発熱も高くなる。  
本態様によれば、前記温度検出部における検出温度に応じて前記読取部による前記媒体の読み取り速度を変更可能に構成されるので、装置本体内部の温度が高くなった際に、前記媒体の読み取り速度を遅くして、前記駆動モーターや電子基板の発熱を抑制することができる。また、装置本体内部の温度が低くなった場合には、前記媒体の読み取り速度を速くしてスループットを向上させることができる。
【００２４】
本発明の第１０の態様は、第１の態様から第９の態様のいずれか一つにおいて、前記羽根付き歯車は、前記読取部による前記媒体の読み取り時における回転方向とは逆方向に回転可能に構成されている、ことを特徴とする。
【００２５】
本態様によれば、前記羽根付き歯車は、前記読取部による前記媒体の読み取り時における回転方向とは逆方向に回転可能に構成されているので、前記羽根付き歯車の回転により発生する風の方向を、前記読取部による前記媒体の読み取り時とは逆方向にすることができる。
【００２６】
本発明の第１１の態様は、第１の態様から第１０の態様のいずれか一つにおいて、前記羽根付き歯車は、前記動力伝達機構部を構成する複数の歯車としての第１歯車と第２歯車とのうち、前記第２歯車よりも歯車比が小さい前記第１歯車に設けられている、ことを特徴とする。
【００２７】
本態様によれば、歯車比が小さい歯車、すなわち、回転速度が速い歯車に前記羽根付き歯車が設けられるので、効果的に風を発生させることができる。
【図面の簡単な説明】
【００２８】
【図１】本発明に係るスキャナーを示す外観斜視図。
【図２】本発明に係るスキャナーを図１とは別角度から見た斜視図。
【図３】本発明に係るスキャナーにおける用紙搬送経路を示す側断面図。
【図４】媒体載置部を取り外した装置本体を背面側から見た斜視図。
【図５】装置本体を第１動力伝達機構部が配置された側から見た斜視図。
【図６】第１動力伝達機構部を示す斜視図。
【図７】装置本体を第２動力伝達機構部が配置された側から見た斜視図。
【図８】装置本体を第２動力伝達機構部が配置された側から見た側面図。
【図９】装置本体を図７とは別角度から見た斜視図。
【図１０】装置本体の背面側の要部拡大斜視図。
【図１１】羽根付き歯車の一例としての第９伝達ギアの斜視図。
【図１２】第９伝達ギアの変更例を示す斜視図。
【発明を実施するための形態】
【００２９】
まず、本発明の一実施例に係る画像読取装置の概略について説明する。本実施例では画像読取装置の一例として、媒体の表面及び裏面の少なくとも一面を読み取り可能なドキュメントスキャナー（以下、単にスキャナー１と称する）を例に挙げる。
【００３０】
図１は、本発明に係るスキャナーを示す外観斜視図である。図２は、本発明に係るスキャナーを図１とは別角度から見た斜視図である。図３は、本発明に係るスキャナーにおける用紙搬送経路を示す側断面図である。図４は、媒体載置部を取り外した装置本体を背面側から見た斜視図である。図５は、装置本体を第１動力伝達機構部が配置された側から見た斜視図である。図６は、第１動力伝達機構部を示す斜視図である。図７は、装置本体を第２動力伝達機構部が配置された側から見た斜視図である。図８は、装置本体を第２動力伝達機構部が配置された側から見た側面図である。図９は、装置本体を図７とは別角度から見た斜視図である。図１０は、装置本体の背面側の要部拡大斜視図である。図１１は、羽根付き歯車の一例としての第９伝達ギアの斜視図である。図１２は、第９伝達ギアの変更例を示す斜視図である。
【００３１】
各図において示すＸ−Ｙ−Ｚ座標系はＸ方向が装置幅方向であり用紙幅方向、Ｙ方向が用紙搬送方向である。Ｚ方向はＹ方向と交差する方向であって、概ね搬送される用紙の面と直交する方向を示している。また、＋Ｙ方向側を装置前面側とし、−Ｙ方向側を装置背面側とする。また、装置前面側から見て左側を＋Ｘ方向、右側を−Ｘ方向とする。また、＋Ｚ方向を装置上方（上部、上面等を含む）とし、−Ｚ方向側を装置下方（下部、下面等を含む）とする。また、用紙Ｐが給送されていく方向（＋Ｙ方向側）を「下流」といい、これと反対の方向（−Ｙ方向側）を「上流」という。
【００３２】
■■■スキャナーの概要■■■
以下、主として図１及び図２を参照して、本発明に係るスキャナー１について説明する。  
スキャナー１は、用紙Ｐの画像を読み取る読取部２０（図３）を内部に備える装置本体２を備えている。  
装置本体２は、下部ユニット３及び上部ユニット４を備えて構成されている。上部ユニット４は下部ユニット３に対して用紙搬送方向下流側を回動支点として開閉可能に取り付けられており、上部ユニット４を装置前面側に回動して開き、用紙Ｐの用紙搬送経路を露呈させて用紙Ｐの紙詰まりの処理を容易に行うことができる様に構成されている。
【００３３】
装置本体２の装置背面側（−Ｙ軸方向側）には、給送される用紙Ｐを載置する載置面１１ａを有する媒体載置部１１が設けられている。媒体載置部１１は、装置本体２に対して着脱可能に設けられている。  
また、媒体載置部１１には、用紙Ｐの給送方向（Ｙ軸方向）と交差する幅方向（Ｘ軸方向）の側縁をガイドするガイド面１３を備える左右一対のエッジガイド１２、１２が設けられている。
【００３４】
媒体載置部１１は、第１補助ペーパーサポート８及び第２補助ペーパーサポート９を備えている。第１補助ペーパーサポート８及び第２補助ペーパーサポート９は、図２に示す様に媒体載置部１１の内部に収納可能であり、且つ、図１に示す様に媒体載置部１１から引き出し可能に構成され、載置面１１ａの長さを調整可能になっている。
【００３５】
装置本体２は、上部ユニット４の装置前面側に、各種読み取り設定や読み取り実行の操作を行ったり、読み取り設定内容等を表示する操作パネル７を備えている。  
上部ユニット４の上部には装置本体２内部に連なる給送口６が設けられており、媒体載置部１１に載置される用紙Ｐは、給送口６から装置本体２内部に設けられる読取部２０に向けて送られる。  
また、下部ユニット３の装置前面側には、後述する排紙トレイ５が設けられている。
【００３６】
■■■スキャナーにおける用紙搬送経路について■■■
次に、図３を参照して、スキャナー１における用紙搬送経路について説明する。尚、図３における点線は用紙Ｐの搬送経路を示している。  
媒体載置部１１の下流側には、媒体載置部１１の載置面１１aに載置された用紙Ｐを読取部２０に向けて送る給送ローラー１４と、給送ローラー１４との間で用紙Ｐをニップして分離する分離ローラー１５を備えている。  
給送ローラー１４は、用紙Ｐの読み取りに係る動作を行う「駆動部」である。
【００３７】
媒体載置部１１の載置面１１aに載置された用紙Ｐは、下部ユニット３に対して回転可能に設けられた給送ローラー１４によりピックアップされて下流側（＋Ｙ方向側）に給送される。具体的には、用紙Ｐの載置面１１ａに対向する面に、給送ローラー１４が接触しつつ回転することにより、用紙Ｐを下流側に向けて給送する。したがって、スキャナー１において複数枚の用紙Ｐを媒体載置部１１にセットした場合には、載置面１１ａ側の用紙Ｐから順に下流側に向けて給送される。
【００３８】
尚、給送ローラー１４の上流側には、フラップ１９が設けられている。フラップ１９は媒体給送方向に揺動可能に構成されている。フラップ１９は、用紙Ｐの給送開始前は揺動が規制されており、媒体載置部１１に載置される給送開始前の用紙Ｐは、その先端がフラップ１９により保持され、給送ローラー１４と分離ローラー１５との間への入り込みが規制されている。  
給送を開始する際にはフラップ１９の揺動の規制が解除され、揺動することにより用紙Ｐの給送が可能となる。フラップ１９の揺動の規制と解除は、後述する第２動力伝達機構部４０により切り換えられるようになっている。
【００３９】
給送ローラー１４の下流側には、搬送ローラー対１６と、画像を読み取る読取部２０と、排出ローラー対１７とが設けられている。給送ローラー１４及び分離ローラー１５によりニップされて下流側に給送された用紙Ｐは搬送ローラー対１６にニップされて、搬送ローラー対１６の下流側に位置する読取部２０に搬送される。  
搬送ローラー対１６も、給送ローラー１４と同様に、用紙Ｐの読み取りに係る動作を行う「駆動部」である。
【００４０】
読取部２０は、上部ユニット４側に設けられた上部読取センサー２０ａと、下部ユニット３側に設けられた下部読取センサー２０ｂとを備えている。本実施形態において、上部読取センサー２０ａ及び下部読取センサー２０ｂは一例として密着型イメージセンサーモジュール（ＣＩＳＭ）として構成されている。
【００４１】
用紙Ｐは、読取部２０において用紙Ｐの表面及び裏面の少なくとも一方の面の画像を読み取られた後、読取部２０の下流側に位置する排出ローラー対１７にニップされて、下部ユニット３の装置前面側に設けられた排出口１８から排出される。  
尚、本実施形態において給送ローラー１４、搬送ローラー対１６、及び排出ローラー対１７は、下部ユニット３内に設けられた少なくとも１つの駆動源（不図示）により回転駆動される。また、前記駆動源（不図示）は制御部２５により制御され、以って、給送ローラー１４、搬送ローラー対１６、及び排出ローラー対１７の駆動が制御されている。
【００４２】
下部ユニット３には、排出口１８から装置前面側に向けて引き出し可能に構成された排紙トレイ５が設けられている。排紙トレイ５は、下部ユニット３の底部に収納された状態（図１）と、図示を省略する装置前面側に引き出した状態とを取り得る。排紙トレイ５を引き出した状態において、排出口１８から排出された用紙Ｐを排紙トレイ５上に積載することができる。
【００４３】
■■■給送ローラーと搬送ローラーの駆動機構について■■■
本実施形態において給送ローラー１４（駆動部）は、第１モーター２１（駆動モーター）から動力を受けて駆動される。また、搬送ローラー対１６（駆動部）は、第２モーター２２（駆動モーター）から動力を受けて駆動される。すなわちスキャナー１は二つの駆動モーターを備えており、第１モーター２１及び第２モーター２２は、給送ローラー１４及び搬送ローラー対１６と同じ装置本体２内部に設けられている。  
以下において、第１モーター２１（駆動モーター）からの動力を給送ローラー１４（駆動部）に伝達するための歯車（ギアとも言う）を含む第１動力伝達機構部３０（動力伝達機構部）について説明し、その後に第２モーター２２（駆動モーター）からの動力を搬送ローラー対１６（駆動部）に伝達するための歯車（ギアとも言う）を含む第２動力伝達機構部４０（動力伝達機構部）について説明する。
【００４４】
＜＜＜第１動力伝達機構部について＞＞＞
第１モーター２１は、図５に示すように、モーター本体２１ａと、モーター本体２１ａから延設されるモーター出力軸２１ｂを備えて構成されている。第１モーター２１は、装置幅方向（Ｘ軸方向）を第１モーター２１のモーター出力軸２１ｂの軸方向として配置されている。  
第１モーター２１は、装置前面側から見て右側（−Ｘ側）に設けられる右サイドフレーム２３（図５）にモーター本体２１ａが固定されて取り付けられている。尚、図５は装置背面側から見た図であるので、右サイドフレーム２３は、図５を正面視して左側に位置している。また、装置前面側から見て左側（＋Ｘ側）には、左サイドフレーム２４（図７）が設けられている。右サイドフレーム２３と左サイドフレーム２４は、給送ローラー１４の回転軸３８（図６）と、後述する搬送ローラー対１６の回転軸４４（図）を支持する一対のサイドフレームである。  
第１モーター２１は、右サイドフレーム２３と左サイドフレーム２４の間、すなわち、一対のサイドフレーム（右サイドフレーム２３、左サイドフレーム２４）の内側に配置されている。
【００４５】
図６に示すように、第１モーター２１のモーター出力軸２１ｂと、給送ローラー１４との間には、第１動力伝達機構部３０が設けられている（図５も参照）。  
第１動力伝達機構部３０（図６）は、互いに噛み合う「複数の歯車」として、第１伝達ギア３１、第２伝達ギア３２、第３伝達ギア３３、第４伝達ギア３４、第５伝達ギア３５、及び第６伝達ギア３６を備えて構成されている。
【００４６】
モーター出力軸２１ｂには、第１伝達ギア３１が連結されており、第１伝達ギア３１は、モーター本体２１ａよりも装置幅方向の外側（＋Ｘ側）に位置するように取り付けられている。本実施例において、第１伝達ギア３１は右サイドフレーム２３の外側に位置している（図５及び図６）。
【００４７】
図５及び図６に示すように、第１モーター２１の動力は、第１伝達ギア３１からタイミングベルト３９を介して第２伝達ギア３２に伝達される。第２伝達ギア３２は第３伝達ギア３３と噛み合い、第３伝達ギア３３は第４伝達ギア３４と噛み合っている。第４伝達ギア３４の回転軸３７は、右サイドフレーム２３の内側（＋Ｘ側）に延設されているとともに、右サイドフレーム２３の内側に位置する＋Ｘ側端部に第５伝達ギア３５が設けられている（図６）。
【００４８】
図６に示す第５伝達ギア３５は、給送ローラー１４の回転軸３８の＋Ｘ側端部に設けられる第６伝達ギア３６に噛み合っており、これらの輪列によって第１モーター２１の動力が給送ローラー１４に伝達される。
【００４９】
＜＜＜第２動力伝達機構部について＞＞＞
次に、第２動力伝達機構部４０について説明する。  
第２モーター２２は、図１０に示すように、モーター本体２２ａ（図７も参照）と、モーター本体２２ａから延設されるモーター出力軸２２ｂを備えて構成されている。第２モーター２２は、装置幅方向（Ｘ軸方向）を第２モーター２２のモーター出力軸２２ｂの軸方向として配置されている。  
第２モーター２２は、装置前面側から見て左側（＋Ｘ側）に設けられる左サイドフレーム２４（図７、図８及び図１０）にモーター本体２２ａが固定されて取り付けられている。第２モーター２２は、右サイドフレーム２３と左サイドフレーム２４の間、すなわち、一対のサイドフレーム（右サイドフレーム２３、左サイドフレーム２４）の内側に配置されている。
【００５０】
図７に示すように、第２モーター２２のモーター出力軸２２ｂと、搬送ローラー対１６の駆動ローラーである搬送駆動ローラー１６ａとの間には、第２動力伝達機構部４０が設けられている（図５も参照）。第２動力伝達機構部４０（図７）は、互いに噛み合う「複数の歯車」として、第７伝達ギア４１、第８伝達ギア４２、第９伝達ギア４５、第１０伝達ギア４６、及び第１１伝達ギア４８を備えて構成されている。  
第２モーター２２のモーター出力軸２２ｂには第７伝達ギア４１が連結されており、第７伝達ギア４１は、モーター本体２２ａよりも装置幅方向の外側（＋Ｘ側）に位置するように取り付けられている。本実施例において、第７伝達ギア４１を含む第２動力伝達機構部４０は左サイドフレーム２４の外側に位置している。
【００５１】
第２モーター２２の動力は、モーター出力軸２２ｂに設けられる第７伝達ギア４１からタイミングベルト４３を介して第８伝達ギア４２に伝達されるように構成されている（図７及び図１０）。尚、図１０においては、タイミングベルト４３の記載が省略されている。  
第８伝達ギア４２は、第７伝達ギア４１を介して第２モーター２２からの動力を受けて搬送駆動ローラー１６ａの回転軸４４を回転させる駆動歯車である。第８伝達ギア４２は、搬送駆動ローラー１６ａの回転軸４４の＋Ｘ側の端部に取り付けられおり、第２モーター２２の動力が搬送駆動ローラー１６ａに伝達される様になっている。
【００５２】
また本実施例において、第２モーター２２は、搬送駆動ローラー１６ａの駆動源であるとともに、搬送ローラー対１６の下流側に設けられる排出ローラー対１７（図３）の駆動ローラーである排出駆動ローラー１７ａ（図３、図７）の駆動源と、前述したフラップ１９（図３）の揺動の規制と解除の切り替えを行うための駆動源と、を兼ねている。
【００５３】
まず、排出ローラー対１７の駆動ローラーである排出駆動ローラー１７ａの駆動機構について、図７及び図８を参照して説明する。  
図７に示す排出駆動ローラー１７ａの回転軸４７において、装置幅方向において第２モーター２２が位置する側である＋Ｘ側の端部には、第１０伝達ギア４６が設けられている。第１０伝達ギア４６は、第９伝達ギア４５を介して、搬送駆動ローラー１６ａの回転軸４４を回転させる駆動歯車である第８伝達ギア４２と繋がっている。すなわち、第２モーター２２の動力は、第７伝達ギア４１、第８伝達ギア４２、及び第９伝達ギア４５を介して第１０伝達ギア４６に伝達され、排出駆動ローラー１７ａの回転軸４７が回転する様に構成されている。  
尚、第９伝達ギア４５は、本発明の特徴部である「羽根付き歯車」に形成されている。「羽根付き歯車」としての第９伝達ギア４５については、後で詳述する。
【００５４】
続いて、フラップ１９（図３）の駆動機構について説明する。  
また、第２動力伝達機構部４０において、第１１伝達ギア４８が回転することにより、前述したフラップ１９の揺動の規制と解除が行われる様に構成されている。フラップ１９は、用紙給送の開始前は媒体搬送方向への揺動が規制されて媒体載置部１１に載置された用紙Ｐの下流側への進行を止めるが、用紙給送時には前記揺動の規制が解除されて用紙Ｐの給送を阻害しない構成である。
【００５５】
第１１伝達ギア４８は、搬送駆動ローラー１６ａの回転軸４４の駆動歯車である第８伝達ギア４２に噛み合っている。第１１伝達ギア４８の回転軸４９には、不図示の駆動カムが設けられており、第８伝達ギア４２が搬送駆動ローラー１６ａを用紙搬送方向に回転させる方向とは逆（図７及び図８において反時計回り）に回転した場合に、第１１伝達ギア４８は図７及び図８において時計回りに回転し、前記駆動カムがフラップ１９の揺動を規制する。また、第８伝達ギア４２が搬送駆動ローラー１６ａを用紙搬送方向に回転（図７及び図８において時計回り）する際、前記駆動カムがフラップ１９の揺動の規制を解除する。
【００５６】
尚、第１１伝達ギア４８にはワンウェイクラッチが設けられており、第８伝達ギア４２が搬送駆動ローラー１６ａを用紙搬送方向に回転する際には、第１１伝達ギア４８は第８伝達ギア４２の回転に追従して回転するが、回転軸４９が所定以上回転しないように構成されている。  
本実施形態において、第１１伝達ギア４８も、前述した「羽根付き歯車」に形成されている。「羽根付き歯車」としての第１１伝達ギア４８の構成について、第９伝達ギア４５の構成とともに、以下に説明する。
【００５７】
■■■羽根付き歯車について■■■
「駆動モーター」の一つである第２モーター２２からの動力を「駆動部」としての搬送ローラー対１６に伝達する「動力伝達機構部」としての第２動力伝達機構部４０は、第２動力伝達機構部４０を構成する複数の前記歯車の少なくとも一つとして、回転することにより風を発生させる羽根形状を有する「羽根付き歯車」を備えている。
【００５８】
本実施形態においては、第９伝達ギア４５と第１１伝達ギア４８とが「羽根付き歯車」に形成されている。  
具体的には、第９伝達ギア４５（図８）は、外周に設けられた歯車部４５ａの内側に、複数の羽根部４５ｂを備えている。同様に、第１１伝達ギア４８（図８）は、外周に設けられた歯車部４８ａの内側に、複数の羽根部４８ｂを備えている。
【００５９】
このように、スキャナー１における読取動作時に回転する歯車（第９伝達ギア４５、第１１伝達ギア４８）に羽根（羽根部４５ｂ、羽根部４８ｂ）を設けることにより、装置内に風を発生させる構成を、構成簡単且つ省スペースに配置することができる。以って、装置の小型化を達成し易くなる。また、風を発生させるためのファンを個別に設ける場合に比して、部品点数を減らし、コスト削減を図ることができる。
【００６０】
第９伝達ギア４５の羽根部４５ｂ及び第１１伝達ギア４８の羽根部４８ｂの羽根形状は、読取部２０による用紙Ｐの読み取り時に、装置本体２の外側から内側に向けて風を送る形状を有している。  
具体的には、第９伝達ギア４５及び第１１伝達ギア４８は、読取部２０による用紙Ｐの読み取り時には、図８及び図１１を正面視したときに反時計回りに回転する。そしてこのとき、装置本体２の外側（図１１の左側）から内側（図１１の右側）に向かって風が送られる様に第９伝達ギア４５の羽根部４５ｂ及び第１１伝達ギア４８の羽根部４８ｂが形成されている。尚、図１１において、符号Ｒで示す矢印は、歯車の回転方向を示し、符号Ｗ１で示す矢印は、歯車が矢印Ｒ方向に回転したときの風の向きを示している。  
この構成により、読取部２０による用紙Ｐの読み取り時に、羽根付き歯車（第９伝達ギア４５及び第１１伝達ギア４８）の回転により、装置本体外側から内側に空気を取り入れる構成とすることができる。
【００６１】
尚、第９伝達ギア４５の羽根部４５ｂ及び第１１伝達ギア４８の羽根部４８ｂの羽根形状は、読取部２０による用紙Ｐの読み取り時に、装置本体２の内側から外側に向けて風を送る形状とすることもできる。図１２に、第９伝達ギア４５の変更例としての第９伝達ギア４５Ａを示す。  
図１２に示す第９伝達ギア４５Ａは、羽根部４５Ａｂの傾きが、図１１に示す第９伝達ギア４５の羽根部４５ｂの構成とは逆になっている。したがって、読取部２０による用紙Ｐの読み取り時、すなわち、第９伝達ギア４５Ａが図１２を正面視して反時計回りの矢印Ｒ方向に回転した際に、装置本体２の内側から外側に向かう方向である矢印Ｗ２方向に向けて風が送られる。  
尚、第１１伝達ギア４８も、図１２に示す第９伝達ギア４５Ａと同様の構成とすることができる。
【００６２】
この構成により、読取部２０による用紙Ｐの読み取り時に、羽根付き歯車（第９伝達ギア４５及び第１１伝達ギア４８）の回転により、装置本体２の内側から外側に空気を排出する構成とすることができる。  
尚、前述したように、第１１伝達ギア４８（羽根付き歯車）は、フラップ１９（図３）の揺動の規制を行う際に、読取部２０による用紙Ｐの読み取り時における回転方向とは逆方向に回転可能に構成されているので、第１１伝達ギア４８を前記逆方向に回転させることにより、第１１伝達ギア４８（羽根付き歯車）の回転により発生する風の方向を、前記読み取り時とは逆方向にすることもできる。
【００６３】
また、本実施形態のように、第９伝達ギア４５と第１１伝達ギア４８の二つの「羽根付き歯車」を有する場合には、一方を装置外側から内側に風を取り入れる構成（図１１）とし、他方を装置内側から外側に風を排出する構成（図１２）として、効率よく風を循環させることもできる。
【００６４】
「羽根付き歯車」は、第２動力伝達機構部４０だけでなく、第１モーター２１の動力を給送ローラー１４に伝達する第１動力伝達機構部３０を構成する歯車（例えば、図５に示す第２伝達ギア３２、第３伝達ギア３３、第４伝達ギア３４など）を「羽根付き歯車」とすることも可能である。
【００６５】
ここで、給送ローラー１４は、通常、媒体載置部１１から用紙Ｐを送り出した後に停止して間欠的に動作する。一方、搬送ローラー対１６は、用紙Ｐの読み取りを実行する間、連続的に動作する。すなわち、搬送ローラー対１６を連続的に動作させるため、第２動力伝達機構部４０を構成する歯車が連続的に回転する。このため、「羽根付き歯車」は、第２動力伝達機構部４０を構成する歯車として設けることが好ましい。  
「羽根付き歯車」が、第２動力伝達機構部４０に設けられていることにより、用紙Ｐの読み取りを実行する間、「羽根付き歯車」としての第９伝達ギア４５と第１１伝達ギア４８をほぼ連続的に回転させて、装置内に風を効率よく発生させる構成とすることができる。
【００６６】
また、第１１伝達ギア４８は、装置本体２の奥行方向（Ｙ軸方向）の中央部近傍に位置しているので、装置本体２内部に効果的に風を送る構成とすることができる。
【００６７】
第２動力伝達機構部４０を構成する歯車のうち、「羽根付き歯車」とする歯車としては、歯車比が小さい歯車を「羽根付き歯車」にすると良い。例えば、複数の歯車を備える動力伝達機構部を構成する第１歯車と第２歯車とがある場合、前記第２歯車よりも歯車比が小さい前記第１歯車が「羽根付き歯車」であると良い。  
歯車比が小さい歯車、すなわち、回転速度が速い歯車を「羽根付き歯車」とすることにより、より効果的に風を発生させることができる。
【００６８】
尚、本実施形態においては、給送ローラー１４を駆動する駆動モーター（第１モーター２１）と、搬送ローラー対１６及び排出ローラー対１７を駆動する駆動モーター（第２モーター２２）と、を別に設けているが、一つの駆動モーターによって給送ローラー１４、搬送ローラー対１６及び排出ローラー対１７を駆動する構成とすることもできる。  
また、第１モーター２１或いは第２モーター２２は、分離ローラー１５を駆動する駆動モーターとして用いることも可能である。
【００６９】
■■■スキャナーにおける他の構成■■■
＜＜＜スリット（通風口）について＞＞＞
「羽根付き歯車」としての第９伝達ギア４５及び第１１伝達ギア４８を含む第２動力伝達機構部４０は、左サイドフレーム２４の外側に取り付けられている。そして、左サイドフレーム２４には、第１１伝達ギア４８に対応する位置に「通風口」としてのスリット５２を備えている。
【００７０】
左サイドフレーム２４において、「羽根付き歯車」としての第１１伝達ギア４８に対応する位置に「通風口」としてのスリット５２が設けられていることにより、左サイドフレーム２４の外側に位置する第１１伝達ギア４８から発生した風が装置内部に通り易い構成とすることができる。  
尚、本実施形態においてスリット５２は、タイミングベルト４３に対するベルトテンション付与部５３（図７及び図８）が移動するためのガイド溝を兼ねている。
【００７１】
また、本実施形態において第１１伝達ギア４８の回転によって発生する風は、少なくとも一部が第２モーター２２に当たる様に配置されている。言い換えると、第１１伝達ギア４８（羽根付き歯車）は、少なくとも第２モーター２２との間で気流を作る方向に向けて配置されている。  
このことにより、第２モーター２２の駆動により発生する熱を効果的に逃がすことができる。
【００７２】
＜＜＜外側通風口について＞＞＞
また、スキャナー１の装置本体２を覆って装置外観を構成する筐体には、第９伝達ギア４５、第１１伝達ギア４８の少なくともいずれかに対応する位置に、外側通風口５０（図４）が設けられている。本実施形態においては、下部ユニット３の＋Ｘ軸方向の側面に外側通風口５０が設けられている。下部ユニット３に外側通風口５０が設けられていることにより、装置内外の風の流通を効率よく行い、「羽根付き歯車」としての第９伝達ギア４５、第１１伝達ギア４８による高い冷却効果を得ることができる。  
また、スキャナー１には、背面側（−Ｙ軸方向側）にも通風口（背面側通風口５１）が設けられている。背面側通風口５１からも風の流通が行われるので、装置本体２内の熱を高効率に逃がすことができる。
【００７３】
＜＜＜導風管について＞＞＞
スキャナー１には、両端が開口した管形状を有する導風管５４（図８〜図１０）が設けられている。導風管５４は、一方の開口である第１開口部５５（図８及び図９）が第９伝達ギア４５（羽根付き歯車）に向けられ、他方の開口である第２開口部５６（図１０）が装置本体２内部において発熱を生じる領域に向けられている。  
本実施形態においては、第２開口部５６（図１０）は、装置本体２の底部に設けられるメイン基板５７（図３、図９及び図１０）のある方向に向けられている。メイン基板５７は、読取部２０における読み取り処理量の増加や処理速度の増加等に伴い発熱するため、メイン基板５７の周囲の温度が高くなる傾向がある。
【００７４】
導風管５４を備えることにより、第９伝達ギア４５（羽根付き歯車）の回転によって発生した風を、導風管５４を介して装置本体２内部の発熱が生じた領域に向けて風を送ることができるので、メイン基板５７の周囲の熱を効果的に逃がす構成とすることができる。  
本実施形態においては、導風管５４は、第９伝達ギア４５に対してのみ設けられているが、第１１伝達ギア４８に対しても設けることができる。例えば、導風管５４の第２開口部５６が向け先を、第１モーター２１或いは第２モーター２２とすれば、各モーターの駆動により発生する熱を逃がす構成とすることができる。
【００７５】
＜＜＜温度検出部の検出温度に基づく読取部における読み取り速度の変更について＞＞＞
スキャナー１は、装置本体２内部の温度を検出する温度検出部５８（図３）を備えている。本実施形態における温度検出部５８は、サーミスタを備えて構成されている。  
そして、温度検出部５８における検出温度に応じて、読取部２０による用紙Ｐの読み取り速度を変更可能に構成されている。  
温度検出部５８における検出結果は制御部２５に送られて、制御部２５が給送ローラー１４、搬送ローラー対１６及び排出ローラー対１７を制御して用紙Ｐの搬送速度を制御するとともに、読取部２０による用紙Ｐの読み取り速度を変更する。
【００７６】
読取部２０による用紙Ｐの読み取りを高速で行う場合には、用紙Ｐの給送速度或いは搬送速度が速いので、給送ローラー１４や搬送ローラー対１６を駆動するための駆動モーター（第１モーター２１及び第２モーター２２）が発熱し易くなる。また、読取部２０による用紙Ｐの読み取りが速く、例えば単位時間当たりの処理量が多くなると、スキャナー１を動作させるためのメイン基板５７も発熱し易くなる。
【００７７】
温度検出部５８における検出温度に応じて読取部２０による用紙Ｐの読み取り速度を変更可能であることにより、温度検出部５８における検出温度が高くなった場合、すなわち、装置本体２内部の温度が高くなった際に、読取部２０による用紙Ｐの読み取り速度を遅くして、駆動モーター（第１モーター２１及び第２モーター２２）やメイン基板５７にかかる負荷を抑えるとともに、これらの発熱を抑制することができる。また、装置本体２内部の温度が下がった際には、前記読み取り速度を速くしてスキャナー１のスループットを向上させることができる。
【００７８】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００７９】
１…スキャナー（画像読取装置）、２…装置本体、３…下部ユニット、
４…上部ユニット、５…排紙トレイ、６…給送口、７…操作パネル、
８…第１補助ペーパーサポート、９…第２補助ペーパーサポート、
１１…媒体載置部、１２…エッジガイド、１３…ガイド面、１４…給送ローラー、
１５…分離ローラー、１６…搬送ローラー対、１７…排出ローラー対、
１８…排出口、１９…フラップ、２０…読取部、２０ａ…上部読取センサー、
２０ｂ…下部読取センサー、２１…第１モーター、２２…第２モーター、
２３…右サイドフレーム、２４…左サイドフレーム、２５…制御部、
３０…第１動力伝達機構部、３１…第１伝達ギア、３２…第２伝達ギア、
３３…第３伝達ギア、３４…第４伝達ギア、３５…第５伝達ギア、３６…第６伝達ギア、
３７…回転軸、３８…回転軸、３９…タイミングベルト、
４０…第２動力伝達機構部、４１…第７伝達ギア、４２…第８伝達ギア、
４３…タイミングベルト、４４…回転軸、４５…第９伝達ギア（羽根付き歯車）、
４６…第１０伝達ギア、４７…回転軸、４８…第１１伝達ギア（羽根付き歯車）、
４９…回転軸、５０…外側通風口、５１…背面側通風口、５２…スリット、
５３…ベルトテンション付与部、５４…導風管、５５…第１開口部、
５６…第２開口部、５７…メイン基板、５８…温度検出部、Ｐ…用紙（媒体）
【図１】
2019012878.tif 000003
【図２】
2019012878.tif 000004
【図３】
2019012878.tif 000005
【図４】
2019012878.tif 000006
【図５】
2019012878.tif 000007
【図６】
2019012878.tif 000008
【図７】
2019012878.tif 000009
【図８】
2019012878.tif 000010
【図９】
2019012878.tif 000011
【図１０】
2019012878.tif 000012
【図１１】
2019012878.tif 000013
【図１２】
2019012878.tif 000014